(57)【特許請求の範囲】
【請求項１】
ユーザを識別するためのユーザコードと宛先とを対応付けて登録する宛先登録手段と、
画情報とユーザコードとを受信した際に、該ユーザコードに対応付けて登録した宛先へ該画情報を送信する送信手段と、
前記送信手段による送信結果を前記受信したユーザコードに基づいて特定される送信結果通知先へ通知する送信結果通知手段と
を備えたことを特徴とする通信端末装置。
【請求項２】
請求項１に記載の通信端末装置であって、
ユーザコードとユーザ名称とを対応付けて登録するユーザ名称登録手段と、
前記受信したユーザコードに対応付けて登録したユーザ名称を前記送信結果とともに通知するユーザ名称通知手段と
を備えたことを特徴とする通信端末装置。
【請求項３】
請求項１または２のいずれかに記載の通信端末装置であって、
ファクシミリ通信のサブアドレスを用いて前記ユーザコードを受信することを特徴とする通信端末装置。
【発明の詳細な説明】
【０００１】
【発明の属する技術分野】
本発明は、ファクシミリ装置等の通信端末装置に関する。
【０００２】
【従来の技術】
従来、インターネット等のネットワークや、ＰＳＴＮ、ＩＳＤＮ等の公衆網等の通信媒体を介して文書データを送受信する通信端末装置においては、送信文書データを、例えばスキャナ等の自前の入力手段により得るのが普通である。
【０００３】
しかし、送信文書データを自前で得なくても、他装置からの転送を受ければ、その他装置から転送されてきた文書データを、自装置が本来備える文書データ送信機能により送信することができる。また、文書データと共に送信宛先の通知も受ければ、その他装置（送信依頼元装置）から送信依頼された文書データを、通知された送信宛先の装置に送信する機能が実現できる。
【０００４】
具体的には、ＬＡＮのようなネットワーク、セントロニクスインターフェースのようなパラレルインターフェース、ＲＳ２３２Ｃインターフェースのようなシリアルインターフェイス等のインターフェースにより送信依頼元装置としてのパソコンと、送信依頼を受ける通信端末装置としてのファクシミリ装置とを接続し、パソコン側で稼働するソフトウェアであるプリンタドライバから前記インターフェースを介して送信されるプリンタ記述言語を通信端末装置が受信・解析することにより、あたかも、ファクシミリ装置がパソコンにとってのプリンタ装置として振る舞って、送信依頼文書の転送を受けると共に、送信宛先のファックス番号の通知を受けその通知されたファックス番号に発呼して、転送を受けた送信依頼文書を、ファクシミリ送信に適合するように必要に応じて変換して送信するようにしたシステムがあった。
【０００５】
また、パソコンからファクシミリ装置への送信依頼分子データの転送形態としては、ファクシミリ装置側にその解読機能が必要となるプリンタ記述言語によらずに、送信依頼文書データをファクシミリ装置側で扱う文書データの形式に適合させて、ファクシミリ装置側での処理負担を軽減したシステムもある。
【０００６】
そのような送信依頼元装置から通信端末装置に転送される送信依頼文書データは、送信依頼元装置からの転送後に、通信端末装置が単独で行うため、送信依頼文書データの送信について得られる送信結果の情報も当該通信端末装置において得られることになる。
【０００７】
そのため、送信依頼文書データについての送信結果を知りたいと思うユーザは、通信端末装置の設置場所までわざわざ出向いて必要な操作を行って、自分が送信依頼した文書データについての送信結果を表示器に表示させたり、送信結果レポートとして記録紙に記録出力させて確認したりしていた。
【０００８】
【発明が解決しようとする課題】
しかし、そのような送信依頼の形態では、自分の席上のパソコンで、電子メールを他人とやりとりして便利な情報交換を行っているユーザが、一方では、そのパソコンを操作して送信依頼した文書データの送信結果を、通信端末装置の設置場所までわざわざ出向いて確認しなければならないという不便な状況が生じてしまうという問題点があった。
【０００９】
本発明は係る事情に鑑みてさなれたものであり、送信依頼文書データの送信結果を、送信依頼元のユーザが席にいながらにして知ることを可能とする通信端末装置を提供することを目的とする。
【００１０】
【課題を解決するための手段】
請求項１に記載の通信端末装置は、ユーザを識別するためのユーザコードと宛先とを対応付けて登録する宛先登録手段と、画情報とユーザコードとを受信した際に、該ユーザコードに対応付けて登録した宛先へ該画情報を送信する送信手段と、前記送信手段による送信結果を前記受信したユーザコードに基づいて特定される送信結果通知先へ通知する送信結果通知手段とを備えたことを特徴とする。
【００１１】
請求項２に記載の通信端末装置は、請求項１に記載の通信端末装置であって、ユーザコードとユーザ名称とを対応付けて登録するユーザ名称登録手段と、前記受信したユーザコードに対応付けて登録したユーザ名称を前記送信結果とともに通知するユーザ名称通知手段とを備えたことを特徴とする。
【００１２】
請求項３に記載の通信端末装置は、請求項１または２のいずれかに記載の通信端末装置であって、ファクシミリ通信のサブアドレスを用いて前記ユーザコードを受信することを特徴とする。
【００１５】
【発明の実施の形態】
以下、添付図面を参照しながら、本発明の実施の形態について詳細に説明する。
【００１６】
先ず、本発明の実施の形態に係る通信端末装置としてのネットワークファクシミリ装置ＮＦのネットワーク及び公衆網への接続形態について図１を参照して説明する。
【００１７】
同図において、ローカルエリアネットワークＬＡＮａ側には、コンピュータ装置としてのワークステーション装置ＷＳＡ１（電子メールアドレス：wsa1@abc.co.jp）ないしＷＳＡｎ（電子メールアドレス：wsan@abc.co.jp）及びメールサーバ装置ＭＳＡ（ネットワークアドレス：msrva1.abc.co.jp）と共にネットワークファクシミリ装置ＮＦＡ（電子メールアドレス：ifaxa@abc.co.jp、ネットワークアドレス：ifaxa.abc.co.jp）がＬＡＮａに接続される一方、ローカルエリアネットワークＬＡＮｂ側には、ワークステーション装置ＷＳＢ１（電子メールアドレス：wsb1@xyz.co.jp）ないしＷＳＢｎ（電子メールアドレス：wsbn@xyz.co.jp）及びメールサーバ装置ＭＳＢ（ネットワークアドレス：msrvb1.xyz.co.jp）と共にネットワークファクシミリ装置ＮＦＢ（電子メールアドレス：ifaxb@xyz.co.jp、ネットワークアドレス：ifaxb.xyz.co.jp））がＬＡＮｂに接続される。また、ＬＡＮａ及びＬＡＮｂは、それぞれルータ装置ＲＡ及びＲＢを介してインターネットに接続され、ネットワークファクシミリ装置ＮＦＡ及びＮＦＢを含む、ＬＡＮａまたはＬＡＮｂ上のネットワーク端末は、ＴＣＰ／ＩＰ上でＳＭＴＰプロトコルによりＭＩＭＥ形式の電子メールの送信を行える。また、ＬＡＮａやＬＡＮｂの端末における電子メールの受信は、ＰＯＰ（Post Office Protocol）３によるメールサーバ装置ＭＳＡまたはＭＳＢへのアクセスにより行われる。
【００１８】
また、ネットワークファクシミリ装置ＮＦＡ及びＮＦＢは、ＰＳＴＮまたはＩＳＤＮの公衆網にも接続され、公衆網を介したファクシミリ文書の送受信も行える。
【００１９】
図２に、ネットワークファクシミリ装置ＮＦＡ及びＮＦＢとなるネットワークファクシミリ装置ＮＦのブロック構成を示す。
【００２０】
同図において、ネットワークファクシミリ装置ＮＦは、システム制御部２、ＲＯＭ３、ＲＡＭ４、スキャナ５、プロッタ６、時計回路７、画像メモリ８、操作表示部９、符号化復号化部１０、ＬＡＮ通信制御部１１、モデム１２、網制御部１３、及び、システムバス１４により構成されている。
【００２１】
システム制御部２は、ＲＯＭ３に書き込まれた制御プログラムに従って、ＲＡＭ４を作業領域として使用しながら、装置各部を制御するマイクロコンピュータである。
【００２２】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリである。なお、ＲＡＭ４は、図示しないバックアップ回路によりバックアップされ、その記憶内容は電源遮断時にも保持される。
【００２３】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００２４】
時計回路７は、現在の日付、時刻の計時を行う一方、システム制御部２から設定された時定数をカウントダウンしてタイムアウトするとシステム制御部２にタイムアウトしたことを通知する、タイマ動作を行うものである。画像メモリ８は、スキャナ５で読み取った画情報を、メモリ送信するために一時的にファイルとして蓄積したり、受信した画情報を、プロッタ６により記録するまでファイルとして一時的に蓄積したりするための一時的な記憶領域として使用されるものである。
【００２５】
画像メモリ８は、スキャナ５で読み取った画情報を、メモリ送信するために一時的にファイルとして蓄積したり、受信した画情報を、プロッタ６により記録するまでファイルとして一時的に蓄積したりするための一時的な記憶領域として使用されるものである。
【００２６】
操作表示部９は、図示を省略した、宛先電話番号やメールアドレスを指定するためのテンキーやアルファベットキー、送信開始等を指示するスタートキー、ワンタッチダイヤルキー等の各種キーが配設される一方、液晶表示装置等の表示器を備え、ユーザに知らせるべき装置の動作状態や、各種メッセージを表示するものである。
【００２７】
符号化復号化部１０は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。また、符号化復号化部１０は、画情報のＴＩＦＦ形式への変換及び、ＭＩＭＥに基づいたエンコード／デコード処理を行う。
【００２８】
ＬＡＮ通信制御部１１は、ＬＡＮにおけるＴＣＰ／ＩＰプロトコルを制御して、ＴＣＰ／ＩＰ上でのＳＭＴＰ、ＭＩＭＥ、ＰＯＰの各プロトコルによる電子メールの送受信をシステム制御部２が行えるようにするためのものである。モデム１２は、Ｇ３ファクシミリモデムで、網制御部１３を介して公衆網に送信するデータを変調する一方、網制御部１３を介して公衆網から受信した信号を復調するものである。また、モデム１２は、相手先番号に対応するＤＴＭＦ信号の送出も行う。
【００２９】
網制御部１３は、公衆回線に接続されて、回線の極性反転の検出、回線の直流ループの閉結・解放や、回線解放の検出、発信音の検出、ビジートーン等のトーン信号の検出、呼出信号の検出等の回線との接続制御や、相手先番号に対応する選択信号の、２０ＰＰＳまたは１０ＰＰＳのダイヤル回線に対応したダイヤルパルス信号による送出を行うものである。システムバス１４は、上記各部がデータをやり取りするための信号ラインである。
【００３０】
以上の構成のネットワークファクシミリ装置ＮＦは、図３に示すように、ＲＯＭ３にフォントテーブル３ａ及び言語テーブル群３ｂを記憶している。
【００３１】
フォントテーブル３ａは、各文字コードにフォントデータを対応付けたテーブルで、システム制御部２は、所望の文字コードをフォントイメージに変換する場合には、フォントテーブル３ａを参照する。
【００３２】
言語テーブル群３ｂは、具体的には、図４に示す構成で、日本語、英語等の各言語に対応して、表示器９ｈに表示したり、印字出力したりする各種メッセージ文字列等に対応する文字コード列を記憶したテーブルの集まりである。例えば、日本語テーブルに記憶された「送信結果通知」とのメッセージに英語テーブルにおいて対応するメッセージは「CONMMUNICATION RSULT REPORT」となる。
【００３３】
また、ネットワークファクシミリ装置ＮＦは、図５に示すように、ＲＡＭ４に、アドレス変換テーブル４ａを記憶していてる。
【００３４】
アドレス変換テーブル４ａは、具体的には、図６に示す構成で、ユーザ識別情報として４桁のユーザコードと、転送先のメールアドレスとの対応付けにより構成されている。また、アドレス変換テーブル４ａには、実質的にユーザ名称テーブルとなる、各ユーザコードに対応したユーザ名称が登録されている。
【００３５】
アドレス変換テーブル４ａは、外部のファックスから公衆網を経由してＩＴＵ−Ｔ勧告Ｔ．３０に規定されたＳＵＢフレームによりサブアドレスの通知を伴って受信したファックスデータを、その通知されたサブアドレスをユーザコードとしてアドレス変換テーブル４ａと照合して対応する転送先メールアドレスを特定し、その特定したメールアドレス宛に、受信したファックスデータを電子メールにより送信する、配信機能のためにも使用できるが、本実施の形態では、後述するように各ワークステーション装置ＷＳからの送信依頼の文書データを送信後の送信結果通知の送信先の特定のためにも参照する。
【００３６】
アドレス変換テーブル４ａの登録内容は、管理者等による操作表示部９からの登録操作や、ＬＡＮを介した他のワークステーション装置ＷＳからのオンライン登録等の所定の登録処理により登録される。また、ネットワークファクシミリ装置ＮＦのアドレス変化テーブル４ａにユーザコードが登録されたユーザは、自分のユーザコードを管理者等から教えられることにより知っている。
【００３７】
各ワークステーション装置ＷＳは、送信依頼元装置として、ネットワークファクシミリ装置ＮＦに対して送信依頼の文書データと必要な付帯情報を転送する。
【００３８】
その際の転送経路は、本実施の形態では、電子メール通信にも使用されるＬＡＮを利用するようにしているが、各ワークステーション装置ＷＳとネットワークファクシミリ装置ＮＦとが送信依頼のデータ転送用の専用のインターフェース、例えばセントロニクスインターフェース、ＲＳ２３２Ｃインターフェイス等で接続されるようにしてもよいのはいうまでもない。
【００３９】
また、本実施の形態では、送信依頼元からの送信依頼の文書データのネットワークファクシミリ装置ＮＦ側に適合する符号化方式であるＭＨ，ＭＲ，ＭＭＲ等への方式変換は、送信依頼元の各ワークステーション装置ＷＳにおいて稼働するプリンタドライバで行うものとする。
【００４０】
送信依頼元の各ワークステーション装置ＷＳにおいては、図７に示すように、上位のアプリケーションから渡されたデータをプリンタドライバが受け取って必要な変換処理を行い、その処理後の文書データは、プリントスプーラを介して、ネットワークポートモニタに渡される。ネットワークポートモニタはプリントスプーラから渡されたデータを、ネットワークファックスＮＦ宛に送信する。
【００４１】
図８に送信依頼元の各ワークステーション装置ＷＳからのネットワークファクシミリ装置ＮＦにＬＡＮを介して転送される送信依頼文書データの構成について示す。なお、送信依頼文書データを、各ワークステーション装置ＷＳからネットワークＮＦへ転送する際のプロトコルにより本発明は限定されるものではない。
【００４２】
同図において、送信依頼文書データは、各ページの文書画情報についての、解像度、用紙サイズ、圧縮方式の、復号化時に必要な各付加情報と、正味の画情報データとの組と、送信依頼に必要な付帯情報により構成されている。
【００４３】
その付帯情報は、「送信先ファックス番号」、「ユーザコード」及び「送信結果言語コード」である。
【００４４】
「送信先ファックス番号」は、送信依頼の文書データの送信宛先を示す情報である。なか、本実施の形態では、送信依頼の文書データの送信先は、公衆網情のファクシミリ装置のみであるが、それに限らず、ＬＡＮやインターネット情のネットワーク端末を送信先とするようにしてもよいのはいうまでもない。その場合は、「送信先ファックス番号」に代えて「送信先メールアドレス」が付帯情報として通知されることになる。
【００４５】
「ユーザコード」は、ネットワークファクシミリ装置ＮＦにおいてアドレス変換テーブル４ａと照合されるものである。「送信結果言語コード」は、後述する処理によりネットワークファクシミリ装置ＮＦが送信する送信結果通知のメールを何語で記述するかを指定するものである。
【００４６】
次に送信依頼を受ける側のネットワークファクシミリ装置ＮＦａにおける、送信依頼元装置としての各ワークステーション装置ＷＳＡからの送信依頼データの処理手順について、図９及び図１０を参照して説明する。なお、それらの図において、左側は、ネットワークファクシミリ装置ＮＦａ側の処理を示し、右側は、各ワークステーション装置ＷＳＡにおける処理を示している。
【００４７】
先ず、図９において、ユーザ名称「ユーザＡ１」（メールアドレス：ｗｓａ１＠ａｂｃ．ｃｏ．ｊｐ）に対応するユーザは、ワークステーション装置ＷＳＡ１にてアプリケーションから、送信依頼文書データをファックス送信したい、公衆網上の相手先装置のファックス番号、送信結果のメールによる通知を要求するための、自身に割り当てられたユーザコード（この場合「１２３４」）、及び、送信結果メールの記述言語を指定するための送信結果言語コードを入力すると共に、送信依頼対象の文書データファイルを指定する（処理２０１）。なお、その場合、ユーザコードや送信結果言語コードについては、アプリケーション側が予め設定値としてユーザに登録させておいて、ユーザによるその都度の入力を省くようにしてもよいのはいうまでもない。
【００４８】
これにより、ユーザは、自分のユーザコードを指定する簡単な操作でこれから送信依頼する文書データについての送信結果を自分宛のメールで通知するよう指示することができる。また、ユーザは、送信結果の内容を記述する言語を言語コードを指定する簡単な操作で指定することができる。
【００４９】
そして、送信依頼を開始する指示がユーザによりなされるかを監視し（判断２０２のＮｏループ）、送信依頼を開始する指示がなされると（判断２０２のＹｅｓ）、ＬＡＮを介してネットワークファクシミリ装置ＮＦａに接続して（処理２０３）、処理２０１で入力指定された情報に基づいて、図８に示した構成の送信依頼文書データを作成して送信する（処理２０４）。
【００５０】
その後、ワークステーション装置ＷＳＡ１は、メールサーバ装置ＭＳＡに定期的にアクセスして、ユーザＡ１（に対応するメールアドレス）宛のメールを受信したか監視し（判断２０５のＮｏループ）、受信されると（判断２０５のＹｅｓ）、その受信メールの内容や添付ファイルを図示しないディスプレイに表示する処理を行う（処理２０６）。なお、ワークステーション装置ＷＳＡ１が受信するユーザＡ１宛のメールは、ネットワークファクシミリ装置ＮＦａからのものばかりとは限らず、その他のネットワーク端末からの通常のメールも含まれる。
【００５１】
一方、ネットワークファクシミリ装置ＮＦＡにおいては、送信依頼文書データをＬＡＮを介して受信するかを監視していて（判断１０１のＮｏループ）、ワークステーション装置ＷＳＡ１における処理２０４に対応して、判断１０１はＹｅｓとなる。なお、判断１０１で受信された送信依頼文書データは画像メモリ８に一時記憶される。
【００５２】
そして、判断１０１で受信した、図８に示す構成の送信依頼文書データの付帯情報として指定さたれファックス番号に発呼し（処理１０２）、判断１０１で受信した送信依頼の文書データをファクシミリ送信する（処理１０３）。なお、その場合のファクシミリ送信は、成功する場合あるし、相手先通信中や相手先がファクシミリ装置でない等の理由により失敗する場合もある。
【００５３】
そして、判断１０１で受信した送信依頼文書データの付帯情報としてユーザコードが通知されたか否かを判断し（判断１０４）、ユーザコードが通知されていない場合には（判断１０４のＮｏ）、送信依頼元からの送信結果通知の要求はなかったものとして、処理を終了するが、ユーザコードが通知された場合には（判断１０４のＹｅｓ）、送信依頼元からの送信結果通知の要求があったものとして、処理１０５以降の処理を行う。
【００５４】
つまり、処理１０５において、判断１０１で通知された「ユーザコード」を、図６に示したアドレス変換テーブルと照合して対応するメールアドレスを取得する（処理１０５）。
【００５５】
そして、処理１０３におけるファクシミリ送信が正常に終了したか否かを判断し（判断１０６）、正常終了した場合には（判断１０６のＹｅｓ）、通信結果正常のメール内容を、言語テーブル群３ｂにおいて、判断１０１で通知された言語コードに対応する言語テーブルに基づいて記述・作成する（処理１０７）。
【００５６】
ファクシミリ送信が正常には終了しなかった場合には（判断１０６のＮｏ）、通信結果エラーのメール内容を、言語テーブル群３ｂにおいて、判断１０１で通知された言語コードに対応する言語テーブルに基づいて記述・作成する（処理１０８）。
【００５７】
なお、処理１０７または処理１０８において作成する送信結果通知のメールの内容に、通知されたユーザコードに、図６のアドレス変換テーブル４ａにおいて対応するユーザ名称を記述するようにしてもよい。
【００５８】
そして、判断１０１で受信され、処理１０３で送信した、または送信しようとした送信依頼文書データの先頭の１ページ分を、ＴＩＦＦ−Ｆ形式に変換し、更に、Ｂａｓｅ６４方式でエンコードして、処理１０７または処理１０８で作成した送信結果通知のテキストデータと共にＭＩＭＥ形式のメールを作成する（処理１０９）。
【００５９】
その作成したメールは、処理１０５で取得していた、通知されたユーザコードに対応するメールアドレス宛に送信される（処理１１０）。
【００６０】
処理１１０で送信された送信依頼文書データの先頭の１ページを添付ファイルとする送信結果通知のメールは、ワークステーション装置ＷＳＡ１における判断２０５及び処理２０６により、送信依頼元のユーザにより参照されることになる。なお、本実施の形態では、送信依頼元のユーザか送信依頼の操作を行った端末に送信結果通知のメールが送信される場合を例にとっているが、送信依頼元のユーザが送信依頼の操作を行った端末と送信結果通知のメールが送信される端末とが別の端末であってもよいのはいうまでもない。
【００６１】
ワークステーション装置ＷＳＡ１における受信メールや添付ファイルの表示形態は、ワークステーション装置ＷＳＡ１で稼働するメールアプリケーションにより異なるが、図１１に、添付ファイル付きの送信結果通知メールのメールヘッダ部と、送信結果通知のテキストパート部について示す。
【００６２】
送信結果通知のテキストパート部には、送信依頼文書データを送信した際に得られる各種情報、具体的には、送信「日付」、送信「時刻」、「相手先名称」、「通信モード」、通信「時間」、送信「枚数」、送信「結果」、及び、送信依頼文書データを画像メモリ８に一時記憶する際に付された「ファイル番号」が記載されている。
【００６３】
同図に示す送信結果通知の内容は、送信結果「ＯＫ」の場合のもので、判断１０６がＹｅｓとなって、処理１０７により作成されたもので、「以下の通信は正常に送信されました。」との、送信が成功した旨のメッセージも記述されている。
【００６４】
送信結果エラーの場合については、図示を省略しているが、送信「結果」の項目がエラーを示す「Ｅ」等と記述されると共に、「以下の通信は正常には送信されませんでした。」等との、送信が失敗した旨のメッセージを記述する。
【００６５】
また、図１１に示す送信結果通知の内容には、「ユーザＡ１」様へ、との記述により、通知されたユーザコードに図６のアドレス変換テーブル４ａにおいて対応するユーザ名称を記述するようにしている。
【００６６】
それにより、送信結果通知のメールを受信・閲覧したユーザは、ネットワークファクシミリ装置ＮＦＡからの自分宛の送信結果通知のメールであることを容易に認識できる。
【００６７】
図１１に示す送信結果通知の内容は、言語が「日本語」の場合を示しているが、実際には、図１２に示すように通知された言語コードに応じて、日本語、英語、または、その他の言語により、記述される。
【００６８】
それにより送信依頼元のユーザは、自分が言語コードで指定した所望の言語での送信結果通知をうけることができる。
【００６９】
また、添付ファイルとしての送信依頼文書データの第１ページ目も、ワークステーション装置ＷＳＡ１側のアプリケーションにより表示されて、送信結果通知が、どの送信依頼文書に係るものであるのかのユーザの判断を容易にすることができる。送信依頼文書データの全内容を添付ファイルとするようにしてもよいが、送信依頼文書データは元々ユーザの手元にあったものであるため、送付表等の送信依頼文書の内容を把握する情報を多く含んでいる先頭の第１ページ目のみを付加すれば、添付ファイルのデータ量を必要最小限とできるため好ましい。
【００７０】
以上説明したように本実施の形態によれば、送信依頼文書データの送信結果を送信結果メールとして、指定されたメールアドレス宛に送信するようにしたため、送信依頼元のユーザが席にいながらにして送信依頼文書データの送信結果を、通常の電子メールを受信するのと同様の手順で知ることができるようになる。
【００７１】
なお、以上説明した実施の形態においては、本発明を、ネットワークファクシミリ装置に適用したが、本発明は、それに限らず、インターフェイスを介して送信依頼元装置から送信依頼された文書データを指定された宛先に送信する一方、ネットワークを介して前記送信依頼元装置に対して電子メールを送信可能な通信端末装置であれば、同様に適用可能なものである。また、また、本発明は、電子メールの伝送プロトコルのより限定されるものではなく、送信文書データが画情報の場合に限らずテキストデータ等のその他の形式の場合にも同様に適用可能なもので、送信依頼文書データの転送形式によって限定されるものでもない。
【００７２】
【発明の効果】
本発明によれば、画情報の送信元はユーザコードを送信するだけで、画情報を宛先へ送信させることだけでなく、送信結果を送信結果通知先へ通知させることができる。
【図面の簡単な説明】
【図１】本発明の実施の形態に係る通信端末装置としてのネットワークファクシミリ装置のネットワーク及び公衆網への接続形態について示す図である。
【図２】本発明の実施の形態に係るネットワークファクシミリ装置のブロック構成を示す図である。
【図３】本発明の実施の形態に係るネットワークファクシミリ装置のＲＯＭの記憶内容について示す図である。
【図４】言語テーブル群について示す図である。
【図５】本発明の実施の形態に係るネットワークファクシミリ装置のＲＡＭの記憶内容について示す図である。
【図６】アドレス変換テーブルについて示す図である。
【図７】本発明の実施の形態に係るネットワークファクシミリ装置への送信依頼元装置におけるソフトウェアモジュール構成について示す図である。
【図８】本発明の実施の形態に係るネットワークファクシミリ装置へ転送される送信依頼元装置からの送信依頼文書データの構成について示す図である。
【図９】本発明の実施の形態に係るネットワークファクシミリ装置における送信依頼元装置からの送信依頼データの処理手順について示すフローチャートである。
【図１０】図９と共に、本発明の実施の形態に係るネットワークファクシミリ装置における送信依頼元装置からの送信依頼データの処理手順について示すフローチャートである。
【図１１】送信結果通知メール例について示す図である。
【図１２】各言語で記述された送信結果通知メールのフォーマットについて示す図である。
【符号の説明】
ＮＦ、ＮＦＡ、ＮＦＢ  ネットワークファクシミリ装置
ＭＳＡ、ＭＳＢ  メールサーバ装置
ＷＳＡ１、…、ＷＳＡｎ  ワークステーション装置
ＷＳＢ１、…、ＷＳＢｎ  ワークステーション装置
ＲＡ、ＲＢ  ルータ装置
ＬＡＮ、ＬＡＮａ、ＬＡＮｂ  ローカルエリアネットワーク
２  システム制御部
３  ＲＯＭ
３ａ  フォントテーブル
３ｂ  テーブル群
４  ＲＡＭ
４ａ  アドレス変換テーブル
５  スキャナ
６  プロッタ
７  時計回路
８  画像メモリ
９  操作表示部
１０  符号化復号化部
１１  ＬＡＮ通信制御部
１２  モデム
１３  網制御部
１４  システムバス
【図１】
0003888830.tif 000002
【図２】
0003888830.tif 000003
【図３】
0003888830.tif 000004
【図４】
0003888830.tif 000005
【図５】
0003888830.tif 000006
【図６】
0003888830.tif 000007
【図７】
0003888830.tif 000008
【図８】
0003888830.tif 000009
【図９】
0003888830.tif 000010
【図１０】
0003888830.tif 000011
【図１１】
0003888830.tif 000012
【図１２】
0003888830.tif 000013